(57)【要約】【課題】リモコン受光部を備えていても前面側のデザインの自由度を増したスピーカ装置を提供する。【解決手段】上向きに設置されたスピーカユニットと、スピーカユニットの上に設けられたヘッドピースと、スピーカユニットとヘッドピースとの間で音声の伝搬を妨げない位置に設けられた受光素子と、を備えている。ヘッドピースは、スピーカユニットが放音した音声を横方向に反射するリフレクタを有し、受光素子は、リフレクタに向けて設けられている。リフレクタは、背板の下端角から、放音口の上辺に向けた２つの三角形を接合した形状の面であってもよい。【選択図】図１
2014216985.tif 000002
【特許請求の範囲】
【請求項１】
上向きに設置されたスピーカユニットと、
前記スピーカユニットの上に設けられ、前記スピーカユニットが放音した音声を横方向に反射するリフレクタを有するヘッドピースと、
前記スピーカユニットと前記ヘッドピースとの間であり、且つ、前記スピーカユニットと前記ヘッドピースとの間の音声の伝搬を妨げない位置に、前記リフレクタに向けて設けられた受光素子と、
を備えたスピーカ装置。
【請求項２】
前記ヘッドピースは、略立方体形状の本体部と該本体部の下方の周囲に形成されたスカートとを有し、
前記本体部の底板は、前記スピーカユニットの口径と略同じ径で開口され、
前記本体部の４つの側面のうち、隣接する２側面が切り欠かれて放音口とされ、他の２側面が前記音声の伝搬方向を規制する背板とされ、
前記受光素子は、前記スカートの内側の前記底板と前記スピーカユニットとの間であって、前記放音口側の角部に設けられている
請求項１に記載のスピーカ装置。
【請求項３】
前記リフレクタは、前記背板の下端角から、前記放音口の上辺に向けた２つの三角形を接合した形状の面である請求項２に記載のスピーカ装置。
【発明の詳細な説明】
【技術分野】
【０００１】
この発明は、スピーカユニットを上向きに設けたスピーカボックスに関する。
【背景技術】
【０００２】
オーディオアンプを内蔵するスピーカ装置には、赤外線のリモコン装置が付属するものがある。このようなスピーカは本体に赤外線受光部を備えている。赤外線受光部は、ユーザによって操作されるリモコン装置（コマンダ）から送信される赤外線信号を受光しなければならないため、ユーザに向けて、すなわち装置の前面に設けられることが一般的である。また、一般的にスピーカ装置は、ユーザに対する正面方向である前面にスピーカユニットが取り付けられた箱型のものが多く、ユーザの眼に触れる前面は、スピーカユニットが露出しているか、ネット状のフロントグリルに覆われているかであった（例えば特許文献１参照）。
【先行技術文献】
【特許文献】
【０００３】
【特許文献１】特開２００７−２７４３１３号公報
【発明の概要】
【発明が解決しようとする課題】
【０００４】
このように、従来のスピーカ装置では、前面にスピーカユニットや赤外線受光部を設ける必要があったため、装置前面のデザインの自由度が低く装飾性に欠けていた。
【０００５】
そこで、この発明は、リモコン受光部を備えていても前面側のデザインの自由度を増したスピーカ装置を提供することを目的とする。
【課題を解決するための手段】
【０００６】
本発明のスピーカ装置は、上向きに設置されたスピーカユニットと、スピーカユニットの上に設けられ、スピーカユニットが放音した音声を横方向に反射するリフレクタを有するヘッドピースと、スピーカユニットとヘッドピースとの間でスピーカユニットとヘッドピースとの間の音声の伝搬を妨げない位置にリフレクタに向けて設けられた受光素子と、を備えている。
【０００７】
本発明の他の形態では、ヘッドピースは、略立方体形状の本体部と該本体部の下方の周囲に形成されたスカートとを有し、本体部は、スピーカユニットの口径と略同じ径で開口された底板と、本体部の４つの側面のうち隣接する２側面が切り欠いて設けた放音口と、他の２側面の壁面である背板とを備えている。受光素子は、スカートの内側の底板とスピーカユニットとの間で放音口側の角部に設けられている。
また、リフレクタは、背板の下端角から、放音口の上辺に向けた２つの三角形を接合した形状の面であってもよい。
【発明の効果】
【０００８】
このように、この発明では、スピーカから発生する音を反射するリフレクタを有するヘッドピースを設けて、スピーカユニットを上向きに設置するとともに、このリフレクタがリモコン信号光を反射することを利用して受光素子をユーザに見えないところに設けた。これにより、この発明によれば、スピーカ装置の前面側のデザインの自由度を増すことが可能になる。
【図面の簡単な説明】
【０００９】
【図１】この発明の実施形態であるスピーカの外観図
【図２】この発明の実施形態である電子回路１５のブロック図
【図３】この発明の実施形態であるヘッドピースおよびスピーカユニットの斜視図
【図４】ヘッドピースおよびスピーカユニットの三面図
【図５】ヘッドピースの透視図
【図６】スピーカユニットから放音される音の進行方向および光の入射方向とを示す図
【発明を実施するための形態】
【００１０】
図面を参照してこの発明が適用されるスピーカおよびヘッドピースについて説明する。
図１は、この発明の実施形態であるスピーカ１の外観図である。同図（Ａ）は正面図、同図（Ｂ）は左側面図である。この実施形態において、「スピーカ」の語は、発音体であるスピーカユニットとこのスピーカユニットを収容する筺体（スピーカボックス）とを有する装置の名称として用いる。
【００１１】
図示のように、スピーカ１の筐体１１は、略四角柱の形状をなしており、上方向に向けて若干幅が狭まる形状をなしている。すなわち、正確には四角錐台形をなしている。側面の垂直面に対する傾斜は２パーセントである。このスピーカ１は、同図に示されるように、面ではなく、辺（稜線）を正面に向けて設置される。また、スピーカユニット２０，２１，２２は、上面および背面側に設けられており、正面側には設けられていない。正面側には、スピーカユニットに代えてＬＥＤなどの装飾的な照明素子が設けられる。筐体１１の底部には、棒状のピロー１３が設けられている。このピロー１３およびピロー１３の下端に設けられた円板状のベース１４によって、スピーカ１が支持される。このように、縦長の筐体１１を備え、且つ、面でなく稜線（角方向）を正面に設置するスピーカは、その形状が特徴的であるとともに、部屋の隅に設置したときの収まりがよい。
【００１２】
筺体１１の正面側の稜線には装飾用のＬＥＤが設けられている。このＬＥＤは、装置の電源オンとともに点灯し、ユーザの操作によって色や輝度などが調整される。ユーザは、不図示の赤外線リモコン装置を用いて、スピーカ１を操作する。赤外線リモコン装置は、複数の押しボタンを有し、ユーザによってボタンが押されたとき、そのボタンに対応する赤外線のコマンド信号を送信する。ユーザは、赤外線リモコン装置を用いて、上記のＬＥＤの点灯態様のほか、スピーカ１に入力されるソースの選択、音量・音質の調整などを行うことができる。
【００１３】
筐体１１の背面側には、背面側のスピーカ２１，２２を覆うスピーカグリル１２が設けられている。上向きに設けられたスピーカユニット２０は、筐体１１の上部に形成された空間であるスピーカボックス３０の上端に固定されている。スピーカユニット２０のさらに上には、本願発明のもう一つの構成要素であるヘッドピース１０が設けられている。スピーカユニット２０、スピーカボックス３０およびヘッドピース１０により、本願発明のスピーカ装置が構成される。
【００１４】
筺体１１の内部には電子回路１５が内蔵されている。図２は、電子回路１５の主要部のブロック図である。電子回路１５は、コントローラ５０、信号処理部５１、オーディオアンプ５２、入力選択部５３、Ｂｌｕｅｔｏｏｔｈ（登録商標）通信回路５４、ケーブルコネクタ５５、ＬＥＤ点灯回路５６などを有している。
【００１５】
コントローラ５０は、マイコンで構成される。コントローラ５０には、赤外線リモコン（不図示）によって送信される赤外線信号を受光する受光回路４０が接続されている。受光回路４０は、受光した赤外線信号を電子信号に変換してコントローラ５０に入力する。コントローラ５０は、受光回路４０から入力された信号に基づいて、入力選択部５３における入力信号の選択、信号処理部５１における音質の調整、オーディオアンプ５２の音量の調整、Ｂｌｕｅｔｏｏｔｈ通信回路５４のオン／オフやパスワードの設定、および、ＬＥＤ１６の点灯制御などを行う。
【００１６】
信号処理部５１は、入力選択部５３から入力された（２チャンネルステレオ）のオーディオ信号の音質を調整するとともに、左右チャンネルの信号から中音域の成分を取り出してこれを合成し、第３チャンネルのオーディオ信号として出力する。すなわち、左右チャンネルの信号は、全音域のオーディオ信号であり、第３チャンネルの信号は、左右チャンネルのものが合成された中音域のオーディオ信号である。オーディオアンプ５２は、３チャンネルの増幅回路を有しており、それぞれ左チャンネル、右チャンネルおよび第３チャンネルのオーディオ信号を増幅する。増幅された左チャンネルのオーディオ信号はスピーカ２２に入力され、右チャンネルのオーディオ信号はスピーカ２１に入力される。そして、増幅された第３チャンネルのオーディオ信号は上向きのスピーカ２０に入力される。
【００１７】
図３は、上記スピーカ１からヘッドピース１０およびスピーカユニット２０を取りだした状態の斜視図である。図４は、ヘッドピース１０およびスピーカユニット２０の三面図である。また、図５は、ヘッドピース１０の透視図であり、内部の回路基板４０を示した図である。以下の説明において、左右方向の記述については、ユーザ視線でスピーカ１を正面から見た場合の左右を用いる。
【００１８】
図３に示すように、ヘッドピース１０は略直方体をなしている。ただし、ヘッドピース１０は筺体１１と一体の形状をなしているため、上方に向けて若干狭まっており、天板１０２の外径（対角線の長さ）は、底板１０３の外径よりも若干小さい。なお、ヘッドピース１０は、放音口１１０を有する上部の本体部１０１と、下部のスカート１０６からなっており、本体部１０１の形状は略立方体である。ヘッドピース１０の底板１０３には、その中央部に円形の開口部１０３Ａが形成されている。開口部１０３Ａの口径は、スピーカユニット２０の口径とほぼ同じである。
【００１９】
略立方体の本体部１０１は、４つの側面を有するが、そのうち正面側の２側面１１１、１１２は切り欠かれて放音口１１０として開口している。背側の２側面１１３、１１４には壁板が設けられており、音声が後方へ広がらないように規制する背板１０４となっている。本体部１０１の内側には、背板１０４である２つの側面１１３，１１４に挟まれた辺の下側の頂点１０５Ｃと、放音口１１０である（切り欠かかれた）２つの側面１１１、１１２の上辺とをつなぐ２つの三角形の面であるリフレクタ１０５（１０５Ａ，１０５Ｂ）が形成されている。本体部１０１は略立方体であるため、リフレクタ１０５の左右の面１０５Ａ、１０５Ｂは、それぞれ底板１０３などの水平面に対して約４５度の角度をなしている。
【００２０】
上述したように、ヘッドピース１０の底板１０３の周囲には、下方に向けて、スカート１０６が形成されている。スカート１０６の高さは、ヘッドピース１０全体の高さの四分の一程度である。スカート１０６の下端がスピーカユニット２０のフランジ２０Ａと当接するように組み付けられる。組み付けられた状態で、スピーカユニット２０とヘッドピース１０とは、その中心軸を共有している。
【００２１】
ヘッドピース１０とスピーカユニット２０は、一緒にネジ止めされ、筐体１１に固定される。これにより、スピーカユニット２０はスピーカボックス３０の上端に取り付けられる。スピーカボックス３０の上端は、スピーカユニット２０のフランジ２０Ａの形状に開口しており、上にスピーカユニット２０が取り付けられることにより、開口がふさがれて内部に閉空間が形成される。
【００２２】
スピーカユニット２０とヘッドピース１０の底板１０３との間には、スカート１０６の高さ分の空間１２０が形成される。この空間１２０に、受光回路４０の回路基板が設けられる。受光回路４０は、スピーカユニット２０および底板１０３の開口部１０３Ａの位置を避けて、手前左側すなわち開口した左側面１１１の下側近傍に設けられる。この受光回路４０の基板上に受光素子であるフォトダイオード４２が設けられる。フォトダイオード４２はヘッドピース１０の手前中央すなわち正面側の先端部に設けられる。フォトダイオード４２をこの位置に設けたことにより、ユーザから直接見えることはない。ユーザが覗き込んでも天板１０２があるために見えることはない。
【００２３】
図６は、ヘッドピース１０内を伝搬する音の進行方向（白い太い矢印）と光の入射方向（灰色細い矢印）とを示す図である。スピーカユニット２０は、ヘッドピース１０の下方且つ同じ中心軸で真上に向けて設置されており、ヘッドピース１０のリフレクタ１０５の面は約４５度であるため、スピーカユニット２０から上方向に放音された音声は、図中の矢印２０１で示すようにリフレクタ１０５で反射されて左右の斜め前方に広がるように伝搬される。これにより、スピーカユニット２０から音声が上向きに放音されても、リフレクタ１０５で反射されて損失少なく前方左右方向に伝搬することが可能になる。また、前面にスピーカグリルを設ける必要がなくなるため、前面のデザインの自由度も向上する。
【００２４】
また、リフレクタ１０５を含むヘッドピース１０は樹脂で成形されたものであり、平滑であるが鏡面ではない。すなわち、音波であれば正反射すると考えてよいが、光のように短い波長のものは乱反射すると考えられる。乱反射とは、どの方向から入射した光であってもその一部は必ず特定の方向へも反射することを意味する。フォトダイオード４２は、底板１０３の下の空間１２０の手前側に設けられているため、ユーザから見えることはない。しかし、ヘッドピース１０にリモコンの赤外線信号が入射すると、それが図中の矢印２０３（灰色細い矢印）で示すようにどの方向から入射した光であっても、ヘッドピース１０の内側、とりわけリフレクタ１０５によって乱反射され、その一部は矢印２０４に示すようにフォトダイオード４２方向に反射する。これにより、スピーカユニット２０のみならずフォトダイオード４２もスピーカ１の上面に設けてユーザに見えないようにしつつ、リモコン信号を受光することが可能になる。
【００２５】
なお、スピーカ１およびヘッドピース１０は、以上説明した形状に限定されない。本願発明の趣旨を損なわない範囲で変形は自由である。
【符号の説明】
【００２６】
１  スピーカ（装置）
１０  ヘッドピース
１１  筐体
１５  電子回路
２０  スピーカユニット
４０  受光回路
４２  フォトダイオード
１０１  本体部
１０２  天板
１０３  底板
１０３Ａ  開口部
１０４  背板
１０５  リフレクタ
【図１】
2014216985.tif 000003
【図２】
2014216985.tif 000004
【図５】
2014216985.tif 000005
【図６】
2014216985.tif 000006
【図３】
2014216985.tif 000007
【図４】
2014216985.tif 000008